(57)【特許請求の範囲】
【請求項１】
透明なコンタクトレンズ本体の中央部分に不透明レンズ部位が形成されたコンタクトレンズと、散瞳剤とを備え、
前記コンタクトレンズを眼に装着するとともに前記散瞳剤で散瞳させて、角膜中央部又は水晶体中央部の局所的な混濁により視力が不良な眼の視力矯正を行うことを特徴とする視力矯正用コンタクトレンズキット。
【請求項２】
前記不透明レンズ部位が円形状である請求項１記載の視力矯正用コンタクトレンズキット。
【請求項３】
前記円形状の直径が２〜６ｍｍである請求項２記載の視力矯正用コンタクトレンズキット。
【請求項４】
前記コンタクトレンズが強角膜コンタクトレンズである請求項１〜３のいずれかに記載の視力矯正用コンタクトレンズキット。
【発明の詳細な説明】
【技術分野】
【０００１】
本発明は、透明なコンタクトレンズ本体の中央部分に不透明レンズ部位が形成されたコンタクトレンズと、散瞳剤とを備えた視力矯正用コンタクトレンズキットに関するものである。
【背景技術】
【０００２】
角膜や水晶体に混濁があると、光が眼内に入りにくくなったり、光が混濁により乱反射することにより、視力が障害される。このため、透明なコンタクトレンズ本体の中央部分にある瞳孔部を、日光などが目に当たると、スリガラスのように乱反射現象によって眼の前が白くなって見えなくなるのを防ぐことができるサングラス効果のあるカラーレンズとした白内障用カラーコンタクトレンズが知られている（例えば、特許文献１を参照）。しかし、前記カラーコンタクトレンズは、サングラス効果を目的とするものであり、角膜中央部や水晶体中央部に混濁がある視力不良を矯正することは困難である。
【０００３】
瞳孔部分を遮蔽するコンタクトレンズとして、周辺視野機能を有する遮蔽コンタクトレンズが知られている（例えば、特許文献２を参照）。しかし、前記遮蔽コンタクトレンズは、脳の標的部分を更生または訓練するためのコンタクトレンズであって、このコンタクトレンズは、脳の非標的領域に対応する中心視野の一部を選択的に目隠しするための遮蔽領域を有して、脳の特定部分に対して視覚処理を強制し、それによってその脳の特定部分を刺激することにより、脳機能の訓練および更生を行うことを目的としている。このため、眼球の瞳孔部分を覆うコンタクトレンズは、少なくとも一部は透明であり、瞳孔部分を完全に遮蔽するものではない。
【０００４】
角膜中央部や水晶体中央部に混濁がある場合の視力回復方法としては、例えば、混濁した水晶体を取り除き眼内レンズに置き換える白内障手術や、角膜移植という外科的手術が一般的である。しかし、外科的手術は、肉体的、精神的負担が大きいなどの問題がある。
【先行技術文献】
【特許文献】
【０００５】
【特許文献１】特開平11-253480号公報
【特許文献２】特表2005-509898号公報
【発明の概要】
【発明が解決しようとする課題】
【０００６】
本発明の目的は、角膜中央部や水晶体中央部に局所的な混濁があることにより視力が不良であるような場合、手術せずに視力を矯正できるコンタクトレンズキットを提供することにある。
【課題を解決するための手段】
【０００７】
本発明者らは、前記課題を解決するため、鋭意研究した結果、コンタクトレンズ本体の中央部分に不透明レンズ部位を作り、視力不良の原因となる眼の混濁部上を遮蔽し、散瞳剤を用いて散瞳すると、視力を矯正できることを知見し、本発明を完成した。
すなわち、本発明は、
［１］透明なコンタクトレンズ本体の中央部分に不透明レンズ部位が形成されたコンタクトレンズと、散瞳剤とを備え、前記コンタクトレンズを眼に装着するとともに前記散瞳剤で散瞳させて、角膜中央部又は水晶体中央部の局所的な混濁により視力が不良な眼の視力矯正を行うことを特徴とする視力矯正用コンタクトレンズキット；
［２］前記不透明レンズ部位が円形状である前記［１］記載の視力矯正用コンタクトレンズキット；
［３］前記円形状の直径が２〜６ｍｍである前記［２］記載の視力矯正用コンタクトレンズキット；
［４］前記コンタクトレンズが強角膜コンタクトレンズである前記［１］〜［３］のいずれかに記載の視力矯正用コンタクトレンズキット
に関する。
【発明の効果】
【０００８】
本発明の視力矯正用コンタクトレンズキットによれば、角膜中央部や水晶体中央部の局所的な混濁により視力が不良な眼に対して、コンタクトレンズ本体の中央部分に不透明レンズ部位を作り、視力不良の原因となる眼の混濁部上を遮蔽し、散瞳剤を用いて散瞳することにより、以下の効果が得られる。
（１）散瞳しない定常時には、瞳孔領の上ではなく、虹彩で遮られていた光が、散瞳することにより虹彩で遮られることなく眼内入射が可能となり、入射光は角膜の中央部を除く部分（以下、単に角膜周辺部という。）および水晶体の中央部を除く部分における屈折力によって網膜上に像を結ぶことが可能となり、視力を得ることができる。
（２）前記（１）の視力は、眼鏡またはコンタクトレンズの度数を調整することにより、矯正視力の向上を図ることができる。
（３）コンタクトレンズ本体の中央部分を不透明にすることにより、角膜中央部から入射する光が遮光、遮断されるため、角膜または水晶体中央部の混濁により生じる乱反射現象を防止、抑制できる。
（４）瞳孔は通常、暗闇では散大し、光の下で収縮するが、散瞳剤を点眼すると瞳孔は眩しい光の下でも過度に広がったままであるので、羞明がみられる。しかし、本発明で用いるコンタクトレンズは、コンタクトレンズ本体の中央部分が不透明であるので、コンタクトレンズ中心部から光が眼内に入らない。従って、本発明ではコンタクトレンズを装着し且つ瞳孔を開いた状態としても、眩しい光の下における羞明を抑制できる。
【図面の簡単な説明】
【０００９】
【図１】コンタクトレンズ１の正面図である。（実施例１）
【図２】図１のコンタクトレンズ１の断面図である。
【発明を実施するための形態】
【００１０】
以下に、本発明で使用するコンタクトレンズについて図面を参照しながら説明する。図１および図２に示すコンタクトレンズ１（実施例１）は、コンタクトレンズ本体３の中央部分に不透明レンズ部位２が形成されている。
【００１１】
前記コンタクトレンズ本体の材質は、特に限定されない。このため、コンタクトレンズ本体は、例えば、ハードコンタクトレンズ、酸素透過性ハードコンタクトレンズ、含水性ソフトコンタクトレンズ、非含水性ソフトコンタクトレンズなどを含む。これらコンタクトレンズ本体は、商業的に販売されているコンタクトレンズ、またはメディカルオーダーシステムにより製造されるコンタクトレンズなどが含まれ、本発明のコンタクトレンズ本体として使用できる。メディカルオーダーシステムにより製造されるコンタクトレンズとしては、例えば、ドクターズＥＸ−ＧタイプＬＤ（株式会社エイコー製）、ドクターズＥＸ−ＧタイプＫＣ（株式会社エイコー製）、ドクターズＥＸタイプＭＦ（株式会社エイコー製）、カスタムメイドハードコンタクトレンズ（サンコンタクトレンズ社製）などが挙げられる。
【００１２】
コンタクトレンズ本体の直径は、眼を散瞳させたときの瞳部分を覆うことができる大きさであれば、特に限定されないが、８〜２４ｍｍが好ましく、特に１１〜２４ｍｍの直径の大きいコンタクトレンズがさらに好ましい。前記直径の大きいコンタクトレンズとしては、強角膜コンタクトレンズまたは強膜コンタクトレンズなどが含まれる。強膜コンタクトレンズは、セミ強膜コンタクトレンズ、ミニ強膜コンタクトレンズを含む。直径の大きいコンタクトレンズ（例えば、強角膜コンタクトレンズ、強膜コンタクトレンズなど）は、眼に装着したときにコンタクトレンズの動きが小さい。このため、角膜周辺部の透明な部分がコンタクトレンズ本体の光透過部と合致し、コンタクトレンズ本体の中央部分の不透明レンズ部位を固定させやすくできるため、本発明のコンタクトレンズ本体として好適に用いることができる。
【００１３】
前記不透明は、レンズが透明でなく、レンズを通してものを識別できないことをいい、光非透過（光の遮断、遮蔽、阻止）を含む。コンタクトレンズ本体の中央部分の不透明レンズ部位は、円形状が好ましい。円形状は楕円、多角形などのほぼ円形状を含む。前記円形の直径は約２〜６ｍｍが好ましく、約２〜５ｍｍがより好ましく、約３〜５ｍｍがさらに好ましい。不透明レンズ部位が前記範囲内であると、視力不良の原因となる角膜中央部または水晶体中央部の混濁部上を遮蔽でき、かつ角膜または水晶体中央部の混濁による入射光の乱反射現象を防止、抑制できる。また、散瞳剤投与後の羞明を抑制できる。
【００１４】
コンタクトレンズ本体の中央部分の不透明レンズ部位２のレンズを不透明にする手段は、不透明レンズ部位のレンズの透明性、光透過性を遮断、遮蔽、阻止できれば限定されない。前記手段は、不透明レンズ部位の透明なレンズを不透明にできれば限定されないが、不透明レンズ部位のレンズ表面が不透明となるよう加工されていてもよく、不透明レンズ部位のレンズ材質が不透明となるよう加工されていてもよい。不透明レンズ部位のレンズ表面の加工方法は、例えば、（１）レンズ表面をフライス加工や平削り加工により不透明（例えば、スリガラス状など）にする方法、並びに（２）レンズ表面に染料、インクまたは顔料などをプリントまたは塗被して着色（例えば、黒色、茶色など）し、不透明にする方法を含む。フライス加工や平削り加工と、染料、インクまたは顔料による着色は組み合わせてもよく、例えば、フライス加工または平削り加工後、加工面に染料、インクまたは顔料などをプリントまたは塗被してもよい。不透明レンズ部位のレンズ材質の加工は、前記染料、インクまたは顔料などをレンズ材料に混合することを含む。前記加工は不透明レンズ部位のレンズを、例えば、着色レンズ（例えば、黒色）またはスリガラス状レンズに入れ替えることを含む。また、レンズを不透明にする手段には、例えば、予め着色された樹脂フィルムあるいは樹脂シートなどを用い、不透明レンズ部位に、接着剤などを用いて接着する方法、熱や超音波を用いて溶着する方法、インサート技術などにより、張り合わせて一体化する方法を含む。
【００１５】
前記フライス加工や平削り加工は、フライス盤などを用いることにより実施できる。フライス盤としては、限定されないが、例えば、ＣＡＭＭ−３（ローランド社製）などが好ましく挙げられる。
【００１６】
前記染料、インクまたは顔料は、コンタクトレンズの使用に安全性の確認されたものが好ましい。染料、インクの好ましい例としては、リアクティブブラック５、リアクティブブラック１４、リアクティブブルー４、リアクティブブルー１９、リアクティブレッド１１、リアクティブブルー２１、リアクティブブルー７７、リアクティブブルー１６３、リアクティブイエロー１５、リアクティブイエロー４２、リアクティブイエロー７６、リアクティブイエロー８６、リアクティブオレンジ７８などが挙げられるが、これらに限定されない。前記顔料としては、好ましくは酸化鉄ブラック、酸化鉄ブラウン、酸化鉄イエロー、酸化鉄レッドまたは二酸化チタンなどの無機顔料、フタロシアニンブルー、フタロシアニングリーン、カルバゾールバイオレット、バットオレンジ＃１、ピグメントブルー１５、ピグメントブルー３６などの有機顔料が挙げられるが、これらに限定されない。前記染料、インクおよび／または顔料は、１種または２種以上を組み合わせて、任意の色彩に着色にすることができる。前記色彩は、レンズを不透明にできれば特に限定されないが、好ましくは、瞳と同系色、例えば黒〜茶褐色が好ましい。瞳と同系色であれば、本発明のコンタクトレンズを装着したときに、自然な外観となり好ましい。
【００１７】
必要に応じて硫酸ナトリウム、塩化ナトリウム、非イオン性ポリアルキレンオキシド界面活性剤などの染色助剤を添加することができる。この助剤の使用によって、前記染料、インク、インクのレンズ内部への浸透または付着を助け、容易にムラなく均一にレンズ中央部を着色できる。染料、インクまたは顔料溶液中の染料、インクまたは顔料の濃度は０．０１〜５０％が適当であり、より好ましくは０．１〜２０％が適当である。前記範囲内であれば、コンタクトレンズ本体の中央部分を不透明にでき好ましい。
【００１８】
前記染料、インクまたは顔料のコンタクトレンズへのプリントまたは塗被は、公知の方法（例えば、特開平０８−１９４１９１、特開平６−２２２３０４、特開２０００−３２９９０１、特表２００８−５１１０２５、特表２００７−５０７７５８などに記載の方法など）により実施できる。
【００１９】
本発明では、前記コンタクトレンズを散瞳状態で用いることを特徴とする。前記散瞳状態は、散瞳剤を点眼することにより、得ることができる。散瞳剤としては、例えば、硫酸アトロピン、塩酸フェニレフリン、トロピカミド、シクロペントラート塩酸塩、臭化水素酸ホマトロピンなどが挙げられる。前記散瞳剤は、２種以上を混合して使用することもできる。また、市販の散瞳点眼剤を好ましく使用できる。市販の散瞳点眼剤としては、好ましくは、例えば、日点アトロピン点眼液１％（株式会社日本点眼薬研究所製）、ミドリンＰ点眼液（参天製薬株式会社製）、サイプレジン１％（参天製薬株式会社製）、サンドールＰ点眼液（株式会社日本点眼薬研究所製）、ミドリンＭ点眼液０．４％（参天製薬株式会社製）、サンドールＭＹ点眼液０．４％（株式会社日本点眼薬研究所製）、オフミック点眼液（わかもと製薬株式会社製）、ネオシネジンコーワ５％（興和株式会社製）、リュウアト１％眼軟膏（参天製薬株式会社製）などが挙げられる。また、前記散瞳剤は、マイクロカプセルなどの徐放性製剤の形態であってもよい。
【００２０】
前記散瞳剤の投与量は、角膜又は白内障の中央部の混濁の程度、点眼剤中の散瞳剤の濃度などにより異なるが、散瞳が得られれば限定されず、通常、前記点眼剤を１〜数滴、好ましくは、１〜３滴（１滴、２滴、３滴）を１日１〜３回程度である。眼軟膏は、１日１〜３回程度、適量を点入することが好ましい。
【実施例】
【００２１】
以下に実施例を示して本発明をさらに詳細に説明するが、実施例は、本発明を限定するものではない。
【００２２】
（実施例１）
直径１５ｍｍの酸素透過性ハードコンタクトレンズ（エイコー社製；図１、２）をコンタクトレンズ本体として使用した。図２中の略後は、以下：
ＤＩＡ：直径（diameter）
ＰＺ：周辺部（peripheral zone）
ＢＯＺ：後面光学部（back optical zone）
ＣＴ：中心厚（central thickness）
ＦＯＺ：前面光学部（front optical zone）
を示し、数値単位はミリメータ（ｍｍ）示す。
前記コンタクトレンズ本体の中央部分（直径約５ｍｍ）の角膜と接しない前面光学部表面を、フライス盤（ＣＡＭＭ−３；ローランド社製）を用いて、コンタクトレンズ中央部から半径約２．５ｍｍの円形状（直径約５ｍｍ）に、ダイヤモンドチップを埋め込んだスタイラス(打刻針)で打刻した。打刻は、スリガラス状になるまで、すなわち、コンタクトレンズを正常眼に装着した時、目で物を識別できなくなるまでおこなった。得られたコンタクトレンズは、正常眼に装着されると、装着者は明るさを感じるが、目で物を識別できず視力を喪失した。
【００２３】
（実施例２）
擬似角膜混濁作成コンタクトレンズ：
直径１５ｍｍの酸素透過性ハードコンタクトレンズ（エイコー社製；図２）を用い、実施例１と同様にコンタクトレンズ本体の中央部分（直径約５ｍｍ）の角膜と接しない前面光学部表面を、フライス盤（ＣＡＭＭ−３；ローランド社製）を用いて、コンタクトレンズ中央部から半径約２．５ｍｍの円形状（直径約５ｍｍ）に、ダイヤモンドチップを埋め込んだスタイラス(打刻針)で打刻した。打刻は、前記円形状（直径約５ｍｍ）にコンタクトレンズの透明部分が約１０〜２０％均一に残る状態までおこなった。このようにして得られたコンタクトレンズを装着した眼を擬似角膜混濁眼とした。
視力測定：
正常眼（視力：１．０）に実施例１のコンタクトレンズ又は前記擬似角膜混濁作成コンタクトレンズを装着し、視力測定した。その後、日点アトロピン点眼液（アトロピン硫酸塩水和物１ｗ／ｖ％；株式会社日本点眼薬研究所製）を１滴点眼し、1時間後に瞳孔径を測定した後、視力測定及び視力矯正をおこなった。視力測定は、字詰まり視力検査器ＣＶ−５０００（株式会社トーメーコーポレーション製）を用いて行った。視力矯正は、球面度数（−;近視、＋：遠視）を測定し、度数に基づく眼鏡を作製した。
結果を表１に示す。前記作製したコンタクトレンズを装着すると、瞳部分が遮蔽されるため視力測定はできなかった。しかし、散瞳剤で散瞳させると、視力（０．６）を得ることができ、散瞳による副作用の羞明も認められなかった。また、視力の矯正のため、遠視度数＋０．７５に基づく眼鏡装着により、視力は０．８まで回復できた。
【００２４】
【表１】
0004768075.tif 000002
＊遠視度数
【産業上の利用可能性】
【００２５】
本発明に係る視力矯正用コンタクトレンズキットでは、角膜中央部又は水晶体中央部の局所的な混濁により視力が不良な眼の視力矯正が行え有用である。
【符号の説明】
【００２６】
１    コンタクトレンズ
２    コンタクトレンズ本体の中央部分の不透明レンズ部位
３    コンタクトレンズ本体
【要約】
【課題】角膜中央部や水晶体中央部に局所的な混濁により視力が不良であるような場合、手術せずに視力を矯正できるコンタクトレンズを提供する。
【解決手段】透明なコンタクトレンズ本体３と、そのコンタクトレンズ本体３の中央部分に不透明レンズ部位２を設けたコンタクトレンズ１であって、散瞳状態で用いることを特徴とする、コンタクトレンズとする。コンタクトレンズ本体３の直径は８〜２４ｍｍであるのが好ましい。また、コンタクトレンズ１は強角膜コンタクトレンズであるのが好ましい。さらに、不透明レンズ部位２は円形状であるのが好ましく、前記円形状の直径は２〜６ｍｍであるのがよい。
【選択図】図１【図１】
0004768075.tif 000003
【図２】
0004768075.tif 000004